(57)【要約】      （修正有）【課題】踏段の幅方向中央部がその移動方向に膨出するように歪んでいる踏段であっても、形状歪みを正確に検査することができる乗客コンベアの踏段の検査治具を提供する。【解決手段】乗客を乗せるクリート体１０と、クリート体１０の一端から延設され下方の踏段６との段差を塞ぐ湾曲したライザ体１２と、を備えた乗客コンベアの踏段６の歪みを検査する乗客コンベアの踏段の検査治具５０であって、ライザ体１２の外面に沿って接触するライザ接触面６０を有する複数のゲージ体５２と、ゲージ体５２を踏段６の幅方向に所定間隔をあけて平行に並列させて連結する連結体５３と、を備える。【選択図】図２
2010173797.tif 000002
【特許請求の範囲】
【請求項１】
乗客を乗せるクリート体と、前記クリート体の一端から延設され下方の踏段との段差を塞ぐ湾曲したライザ体と、を備えた乗客コンベアの踏段の歪みを検査する乗客コンベアの踏段の検査治具であって、
前記ライザ体の外面に沿って接触するライザ接触面を有する複数のゲージ体と、前記ゲージ体を前記踏段の幅方向に所定間隔をあけて平行に並列させて連結する連結体と、を備えることを特徴とする乗客コンベアの踏段の検査治具。
【請求項２】
前記ゲージ体は前記ライザ接触面から屈曲して延びるクリート接触面を備え、
前記ライザ接触面が前記ライザ体に接触した状態で前記クリート接触面が前記クリート体に接触することを特徴とする請求項１に記載の検査治具。
【請求項３】
前記ゲージ体は前記クリート接触面から下方に延設され前記クリート体の他端に係止する係止部を備えることを特徴とする請求項１又は２に記載の検査治具。
【請求項４】
前記ゲージ体の少なくとも１つが前記踏段の幅方向に前記連結体に対して相対移動可能に設けられ、隣接する前記ゲージ体の間隔を変更できることを特徴とする請求項１〜３のいずれか１項に記載の検査治具。
【発明の詳細な説明】
【技術分野】
【０００１】
本発明は、乗客コンベアの踏段の検査治具に関し、特に、乗客を乗せるクリート体の形状歪みやクリート体の一端から一体に延設され下方の踏段との段差を塞ぐライザ体の形状歪みを検査するための乗客コンベアの踏段の検査治具に関する。
【背景技術】
【０００２】
乗客コンベアは、上階床と下階床の間に亘って配置されたトラス構造体と、トラス構造体内にあって上階床と下階床の各近傍位置に配置された一対のスプロケットと、一対のスプロケットの間に掛け渡された踏段チェーンと、踏段チェーンに連続的に支持された複数の踏段とを備え、駆動装置により一方のスプロケットが回転駆動されることで、複数の踏段が上階床と下階床との間を互いに同期しながら循環移動される。
【０００３】
踏段は、乗客が乗るクリート体と、クリート体の一端部から一体に延設され下方の踏段との段差面を塞ぐライザ体と、クリート体及びライザ体を支持するフレームとを備え、トラス構造体の上面位置では階段としての姿勢を保持しつつ上方又は下方に移動する。
【０００４】
このような踏段では、形状歪みが大きい場合、隣接する踏段との間に隙間ができることとなり、乗客コンベアの設置状態における安全性を確保できない。
【０００５】
また、異物、ゴミなどがトラス構造体内に侵入することを防ぐため、クリート体及びライザ体には、踏段の移動方向へ沿って延びるクリート凸条及びライザ凸条が設けられ、乗客コンベアの設置状態において、クリート凸条が上方の踏段に設けられたライザ凸条の間にあるライザ溝に挿入されることで、クリート体の端部がライザ体に噛み合わされているものがあるが、このような踏段では、踏段の形状歪みが大きいと、クリート凸条と上方の踏段に設けられたライザ溝とが噛み合わなくなるため、乗客コンベアに組み込むことができない。
【０００６】
そこで、簡便に踏段の形状歪みを検査する方法として、ライザ接触面とクリート接触面とを有する細幅のゲージを上方より踏段に当接して、クリート体にクリート接触面を接触させた時のライザ体とライザー接触面との隙間から踏段の形状歪みを検査することが考えられる。
【０００７】
ところで、乗客コンベアの踏段では、クリート体、ライザ体、フレーム等の踏段を構成する部材相互を締結する手間を省くとともに、踏段を軽量化するため、ステンレスダイキャストやアルミダイキャストにより一体形成することがある。（例えば、下記特許文献１参照）。
【０００８】
しかしながら、ダイキャストにより形成された踏段では、踏段の幅方向の各箇所においては所定の断面形状を維持しつつも、踏段の幅方向中央部がその移動方向に膨出するように歪んでいるものや踏段６の移動方向に沿ったクリート体１０の寸法誤差が大きいものがあり、上記したような細幅のゲージでは、このような踏段に対して形状歪みを正確に検査できないという問題がある。
【先行技術文献】
【特許文献】
【０００９】
【特許文献１】特開２０００−３５１５６４号公報
【発明の概要】
【発明が解決しようとする課題】
【００１０】
本発明は上記問題を考慮してなされたものであり、ダイキャスト等により形成され、踏段の幅方向中央部がその移動方向に膨出するように歪んでいる踏段であっても、形状歪みを正確に検査することができる乗客コンベアの踏段の検査治具を提供することを目的とする。
【課題を解決するための手段】
【００１１】
本発明に係る乗客コンベアの踏段の検査治具は、乗客を乗せるクリート体と前記クリート体の一端から延設され下方の踏段との段差を塞ぐライザ体とを備えた乗客コンベアの踏段の歪みを検査する乗客コンベアの踏段の検査治具であって、前記ライザ体の外面に沿って接触するライザ接触面を有する複数のゲージ体と、前記ゲージ体を前記踏段の幅方向に所定間隔をあけて平行に並列させて連結する連結体と、を備えることを特徴とする。
【発明の効果】
【００１２】
本発明の検査治具では、ライザ体と接触するライザ接触面を有する複数のゲージ体が、連結体によって前記踏段の幅方向に所定間隔をあけて平行に連結されているため、踏段の幅方向中央部がその移動方向に膨出するように歪んでいる場合でも形状歪みを正確に検査することができる。
【図面の簡単な説明】
【００１３】
【図１】踏段が本発明の検査治具により検査される乗客コンベアを示す側面図である。
【図２】本発明の検査治具が取り付けられた踏段を示す斜視図である。
【図３】前記踏段の正面図である。
【図４】前記踏段の平面図である。
【図５】図２のＡ−Ａ断面図である。
【図６】図２のＢ−Ｂ断面図である。
【図７】検査治具の側面図である。
【発明を実施するための形態】
【００１４】
以下、本発明の一実施形態について、図面を参照して説明する。
【００１５】
検査治具５０により検査される踏段６が組み込まれた乗客コンベア１は、図１に示すように、上階床と下階床の間にわたって配置されたトラス構造体２と、トラス構造体２内にあって上階床と下階床の各近傍付近に配置された一対のスプロケット３，４と、一対のスプロケット３，４の間に掛け渡された無端状の踏段チェーン（不図示）と、この踏段チェーンに連鎖状に支持された複数の踏段６と、トラス構造体２の上方の左右位置に立設された一対の欄干７と、一対の欄干７の外周を移動軌跡とする一対の移動手摺８とを備えており、トラス構造体２内に配置された図示しない駆動装置により一方のスプロケット３が回転駆動されることで、各踏段６及び一対の移動手摺８が、上階床と下階床との間を互いに同期しながら循環移動される。
【００１６】
踏段６は、乗客が乗るクリート体１０と、クリート体１０の一端部１０ａから一体に延設され下方の踏段６との段差を塞ぐライザ体１２と、クリート体１０及びライザ体１２を支持するフレーム１４と、を備え、これらは、例えば、アルミダイキャストによって一体に形成されている。
【００１７】
クリート体１０の上面には、踏段６の移動方向に沿って延びる複数本のクリート凸条１７が所定間隔をあけて互いに平行に設けられ、隣接するクリート凸条１７の間にクリート溝１６が形成されている。
【００１８】
ライザ体１２は、外方に湾曲した板状をなしており、クリート体１０の一端部１０ａから一体に延設され下方に隣接する踏段６が有するクリート体１０との段差を塞いでいる。また、ライザ体１２には踏段６の移動方向に沿って延びる複数本のライザ凸条１９が所定間隔をあけて互いに平行に設けられ、隣接するライザ凸条１９の間にライザ溝１８が形成されている。
【００１９】
各ライザ溝１８は、踏段６の幅方向について、各クリート溝１６に対してずらして配置されている（図３，４参照）。これにより、上方の踏段６のライザ体１２と対向するクリート体１０の他端部１０ｂは、クリート凸条１７がライザ溝１８に挿入されることにより、上方の踏段６のライザ体１２に噛み合わされている。
【００２０】
上記構成の踏段６の形状歪みを検査する検査治具５０は、図２〜図４に示すように、複数（本実施形態では３個）のゲージ体５２と、ゲージ体５２を連結する連結体５３と、を備える。
【００２１】
ゲージ体５２は、踏段６の上方より載置された検査治具５０の取付状態において、ライザ体１２の外面に沿ってライザ体１２の上端部から下端部まで設けられたライザ検査部５４と、ライザ検査部５４から延設されクリート体１０の上面に沿ってクリート体１０の一端部１０ａから他端部１０ｂまで延びるクリート検査部５６と、クリート検査部５６の先端部から下方に延設された係止部５８と、を備える。
【００２２】
ライザ検査部５４は、図５に示すように、ライザ体１２の外面と相対向する内面が、ライザ凸条１９の頂上部にある凹部１９ａにおいてライザ体１２の外面に沿って接触する。つまり、ライザ検査部５４の内面がライザ体１２の外面に沿って接触するライザ接触面６０をなしている。
【００２３】
ライザ接触面６０の上端部からは、クリート体１０の外面（上面）と相対向するクリート検査部５６の内面が踏段６の移動方向に延びている。図６に示すように、クリート検査部５６の内面にはクリート凸条１７が挿入される凹溝６２が設けられている。ライザ接触面６０がライザ凸条１９の頂上部にある凹部１９ａに接触するように（図５参照）ゲージ体５２を踏段６の外面に取り付けた時に、凹溝６２にはクリート凸条１７が挿入され、クリート検査部５６の内面がクリート凸条１７及びこのクリート凸条１７を挟んで隣り合う一対のクリート溝１６においてクリート体１０の外面に沿って接触する（図６参照）。つまり、クリート検査部５６の内面はライザ接触面６０から屈曲して踏段６の移動方向に延びクリート体１０の外面に沿って接触するクリート接触面６４をなしている。
【００２４】
係止部５８は、図７に示すように、クリート検査部５６の先端部においてクリート接触面６４から下方に延設され、クリート体１０の前記他端部１０ｂの側縁に係止する。ライザ検査部５４の内面の上端部から係止部５８の内面の上端部までのクリート接触面６４の長さＡが、踏段６の移動方向に沿ったクリート体１０の設計寸法に所定の公差を加えた長さに設定されている。
【００２５】
連結体５３は、ゲージ体５２を踏段６の幅方向へ貫通する貫通孔６６に摺動可能に挿入される棒状をなし、ゲージ体５２を連結体５３に対して踏段６の幅方向に相対移動可能としている。本実施形態では、例えば、クリート検査部５６に踏段の移動方向に所定間隔をあけて２つの貫通孔６６が形成され、ライザ検査部５４に１つの貫通孔６６が形成されており、各貫通孔６６それぞれに連結体５３が挿入されている。このような連結体５３は、互いに隣接するゲージ体５２同士の間隔を変更可能としつつ、３つのゲージ体５２を踏段６の幅方向に所定間隔をあけて平行に連結する。
【００２６】
また連結体５３の周面には、踏段６の幅方向に沿って延びる突条６８が設けられている。突条６８が貫通孔６６の内周面に設けられた凹溝７０に嵌り込み、これにより、ゲージ体５２ががたつくことなく踏段６の幅方向に摺動し、隣接するゲージ体５２の間隔が変更可能となっている。
【００２７】
なお、全てのゲージ体５２が連結体５３に対して摺動可能に設けられてもよく、また、例えば、踏段６の幅方向の一方端部及び中央部に位置する２つのゲージ体５２が連結体５３に対して摺動可能に設けられ、踏段６の幅方向の他端部に位置するゲージ体５２が連結体５３に固定されるなど、複数のゲージ体５２の少なくとも１つが連結体５３に対して踏段６の幅方向に相対移動可能に設けられてもよい。
【００２８】
以上のような検査治具５０を用いて踏段６を検査するには、まず、図２に示すように、３つのゲージ体５２が検査対象の踏段６の幅方向両端部及び幅方向中央部に位置するように、連結体５３に対してゲージ体５２を摺動させる。
【００２９】
そして、各ゲージ体５２の係止部５８を踏段６におけるクリート体１０の前記他端部１０ｂの側縁に係止させ、係止部５８とクリート体１０との接触箇所を支点にして検査治具５０を上方より踏段６に載置する。
【００３０】
その際、踏段の幅方向中央部がその移動方向に膨出するように歪んでいる場合、歪んでいる箇所に位置するゲージ体５２のライザ接触面６０及びクリート接触面６４がライザ体１２及びクリート体１０に接触せず、踏段６の外面に検査治具５０が当接されない。また、踏段６に歪みがない場合であっても、踏段６の移動方向に沿ったクリート体１０の寸法がクリート接触面６４の長さＡより大きいと踏段６の外面に検査治具５０が当接されない。
【００３１】
一方、踏段６に歪みがない場合であって踏段６の移動方向に沿ったクリート体１０の寸法がクリート接触面６４の長さＡ以下であると、全てのゲージ体５２のクリート接触面６４がクリート体１０に接触し、踏段６の外面に検査治具５０が当接される。そして、検査治具５０の係止部５８をクリート体１０の他端部１０ｂの側縁に接触させた時に生じるライザ接触面６０の上端部とライザ凸条１９の頂上部にある凹部１９ａとの間隔の大きさから踏段６の移動方向に沿ったクリート体１０の長さ寸法を算出することで、クリート体１０の寸法誤差が所定の公差内にあるか否か検査する。
【００３２】
以上のように、本実施形態に係る検査治具５０では、ライザ体１２と接触するライザ接触面６０及びクリート体１０と接触するクリート接触面６４を有する複数のゲージ体５２が、連結体５３によって踏段６の幅方向に所定間隔をあけて平行に並列させて連結されているため、踏段の幅方向中央部が踏段の移動方向に膨出するように歪んでいる踏段６に対しても、形状歪みを正確に検査することができる。
【００３３】
また、ゲージ体５２は、クリート接触面６４から下方に延設されクリート体１０の他端部１０ｂの側縁に係止する係止部５８を備えるため、踏段６の形状歪みの有無を判別する際に、併せて、踏段６の移動方向に沿ったクリート体１０の長さ寸法を測定することができる。
【００３４】
さらにまた、本実施形態に係る検査治具５０は、ゲージ体５２が連結体５３に対して摺動可能に設けられ、隣接するゲージ体５２の間隔が変更可能となっているため、幅寸法の異なる踏段６に対しても形状歪みを検査することができる。
【００３５】
なお、本実施形態では、ゲージ体５２が連結体５３に対して踏段６の幅方向に相対移動可能に設けられているが、本発明は、これに限定されず、全てのゲージ体５２が連結体５３に対して固定されていても良い。
【符号の説明】
【００３６】
６…踏段
１０…クリート体
１２…ライザ体
５０…検査治具
５２…ゲージ体
５３…連結体
５４…ライザ検査部
５６…クリート検査部
５８…係止部
６０…ライザ接触面
６４…クリート接触面
【図１】
2010173797.tif 000003
【図２】
2010173797.tif 000004
【図３】
2010173797.tif 000005
【図４】
2010173797.tif 000006
【図５】
2010173797.tif 000007
【図６】
2010173797.tif 000008
【図７】
2010173797.tif 000009